(57)【特許請求の範囲】
【請求項１】
検知エリア内における人の在否を検知する人感センサと、周囲の照度を検知する照度センサと、前記人感センサおよび前記照度センサそれぞれの検知情報を含むワイヤレス信号を送信するワイヤレス信号送信部と、前記ワイヤレス信号送信部から当該ワイヤレス信号を所定時間毎に送信させる第１の制御回路部と、前記人感センサ、前記照度センサ、前記ワイヤレス信号送信部および前記第１の制御回路部に電力を供給する電池とを備え、前記第１の制御回路部は、前記所定時間毎に送信される前記ワイヤレス信号が、前記照度センサの検知情報である照度が前記基準照度未満であり且つ前記人感センサの検知情報が人体有りの時の第１の制御信号に基づいた第１ワイヤレス信号と、前記照度センサの検知情報である照度が前記基準照度以上であり且つ前記人感センサの検知情報が人体有りの時の第２の制御信号に基づいた第２ワイヤレス信号とを含んでおり、所定時間毎に送信される前記第１ワイヤレス信号または前記第２ワイヤレス信号の直後に、前記照度センサの前記検知情報である照度が予め設定された基準照度以上の照度から当該基準照度未満の照度に変わった時の第３の制御信号に基づいた第３のワイヤレス信号を、前記所定時間に関係なく、直ちに前記ワイヤレス信号送信部から送信するセンサ装置と、
前記センサ装置からの前記ワイヤレス信号に基づいて照明負荷を点灯または消灯させるスイッチ装置と、を備え、
前記スイッチ装置は、前記センサ装置から送信される前記ワイヤレス信号を受信するワイヤレス信号受信部と、前記ワイヤレス信号受信部で受信された前記ワイヤレス信号に応じた受信信号を増幅する増幅回路部と、交流電源から前記照明負荷への給電路を開閉するスイッチング素子を有する負荷制御部と、前記増幅回路部で増幅された前記受信信号に基づいて前記スイッチング素子をスイッチング制御する第２の制御回路部と、前記ワイヤレス信号受信部、前記増幅回路部、前記負荷制御部および前記第２の制御回路部に電力を供給する電源回路部と、前記照明負荷を強制的に点灯または消灯させるための押釦スイッチを有するスイッチ入力部とを有し、前記スイッチ装置は、前記ワイヤレス信号に含まれる前記人感センサの前記検知情報が人体有りで且つ前記照度センサの前記検知情報である照度が前記基準照度未満の照度である場合に、前記照明負荷を点灯させることを特徴とする負荷制御システム。
【発明の詳細な説明】
【技術分野】
【０００１】
本発明は、センサ装置を用いた負荷制御システムに関するものである。
【背景技術】
【０００２】
従来から、センサ装置を用いた負荷制御システムとして、例えば図５に示すように、赤外線または電波を媒体としてワイヤレス信号を送信するセンサ装置Ｗ’と、商用電源からなる交流電源ＡＣ’と白熱灯からなる照明負荷Ｌ’に電線を介して直列接続され、センサ装置Ｗ’から送信されるワイヤレス信号に基づいて照明負荷Ｌ’を点灯または消灯させるスイッチ装置Ｓ’とで構成されたものが提案されている（例えば、特許文献１参照）。
【０００３】
センサ装置Ｗ’は、図６に示すように、検知エリア内における人の在否を検知する人感センサおよび周囲の照度を検知する照度センサを具備したセンサ部１と、センサ部１の人感センサおよび照度センサそれぞれの検知結果が入力されるマイクロコンピュータからなる制御回路部２’と、赤外線または電波を媒体としてワイヤレス信号を送信するワイヤレス信号送信部４’と、センサ部１、制御回路部２’、ワイヤレス信号送信部４’などへ電力を供給する電池からなる電源部５’と、センサ部１の人感センサによる人の在否にかかわらず照明負荷Ｌ’（図５参照）を強制的に点灯または消灯させるための押釦スイッチ（図示せず）を有するスイッチ回路部６とを備える。ここにおいて、制御回路部２’は、センサ部１の人感センサで人体が検知された時に、照明負荷Ｌ’を点灯させるための制御信号を作成する。なお、上記制御信号は、センサ部１の照度センサで検知される照度が予め設定される基準照度未満であるもの（以下、第１の制御信号と称する）と、センサ部１の照度センサで検知される照度が上記基準照度以上であるもの（以下、第２の制御信号と称する）との２種類がある。制御回路部２’で作成された上記第１の制御信号または上記第２の制御信号は増幅回路部３’で増幅された後に、ワイヤレス信号送信部４’に送出される。ワイヤレス信号送信部４’は、増幅回路部３’で増幅された上記第１の制御信号または上記第２の制御信号に基づいたワイヤレス信号をスイッチ装置Ｓ’（図５参照）に送信する。
【０００４】
スイッチ装置Ｓ’は、図７に示すように、センサ装置Ｗ’から送信される上記ワイヤレス信号を受信するワイヤレス信号受信部７’と、ワイヤレス信号受信部７’で受信した上記ワイヤレス信号に応じた受信信号を増幅する増幅回路部１１’と、交流電源ＡＣ’から照明負荷Ｌ’への給電路を開閉するスイッチング素子（例えば、トライアックなど）を有する負荷制御部８’と、増幅回路部１１’で増幅された上記受信信号に基づいて負荷制御部８’をスイッチング制御するマイクロコンピュータからなる制御回路部１４’とが設けられている。しかして、制御回路部１４’が負荷制御部８’のスイッチング素子をスイッチング制御することによって、照明負荷Ｌ’を点灯または消灯させる。また、スイッチ装置Ｓ’は照明負荷Ｌ’が消灯している時にスイッチ装置Ｓ’の位置を表示する発光素子（例えば、発光ダイオード）などを有する表示部１５と、照明負荷Ｌ’を強制的に点灯または消灯させるための操作ハンドルによって押操作されるタクトスイッチ（図示せず）を有するスイッチ入力部１３’と、負荷制御部８’、制御回路部１４’などに電力を供給する電源回路部１２’とを備えている。
【０００５】
以下、上述の負荷制御システムの動作の一例を説明する。
【０００６】
照明負荷Ｌ’が消灯している状態において、センサ部１の照度センサで検知される照度が上記基準照度未満であり（周囲が暗く）且つセンサ部１の人感センサで人体が検知されると、センサ装置Ｗ’の制御回路部２’は上記第１の制御信号を作成して、ワイヤレス信号送信部４’から上記第１の制御信号に基づいたワイヤレス信号を送信する。このワイヤレス信号を受信したスイッチ装置Ｓ’の制御回路部１４’は、負荷制御部８’のスイッチング素子をオンさせることで照明負荷Ｌ’を点灯させる。同時に、制御回路部１４’はセンサ部１の人感センサによって人体が検知されなくなってから照明負荷Ｌ’を消灯させるまでの動作保持時間の計時を開始し、上記動作保持時間の計時が終了したら、負荷制御部８’のスイッチング素子をオフさせることで照明負荷Ｌ’を消灯させる。なお、上記動作保持時間は、制御回路部１４’に予め設定されている。
また、スイッチ装置Ｓ’の制御回路部１４’が上記動作保持時間を計時している時（この時、照明負荷Ｌ’は点灯しており）、センサ部１の照度センサで検知される照度は上記基準照度以上となり、センサ部１の人感センサで人体が検知されると、センサ装置Ｗ’の制御回路部２’は上記第２の制御信号を作成して、ワイヤレス信号送信部４’から上記第２の制御信号に基づいたワイヤレス信号を送信する。上記ワイヤレス信号を受信したスイッチ装置Ｓ’の制御回路部１４’は、負荷制御部８’のスイッチング素子がオンの状態（つまり、照明負荷Ｌ’が点灯している状態）であれば、上記動作保持時間を計時するタイマをリトリガする。但し、負荷制御部８’のスイッチング素子がオフの状態（つまり、照明負荷Ｌ’が消灯している状態）であれば、制御回路部１４’は、負荷制御部８’のスイッチング素子をスイッチング制御せずに照明負荷Ｌ’を消灯したままとする。
【先行技術文献】
【特許文献】
【０００７】
【特許文献１】特開２００６−２５３０９２号公報
【発明の概要】
【発明が解決しようとする課題】
【０００８】
ところで、このセンサ装置Ｗ’は電池からなる電源部５’を備えているため、センサ装置Ｗ’を交流電源ＡＣ’に接続する配線をなくすことができる。しかし、電源部５’は電池であるため、電池の寿命を考慮する必要がある。電源部５’の電池の寿命を延ばすためには、図８（ｃ）に示すように、ワイヤレス信号送信部４’から所定時間毎（図示例では、５秒毎）に上記ワイヤレス信号を送信する方法が考えられる。
【０００９】
例えば、照明負荷Ｌ’が消灯している場合、センサ部１の照度センサで検知される照度が上記基準照度未満であり（周囲が暗く）且つセンサ部１の人感センサで人体が検知されると（図８（ａ）において、ｔ０の時点）、制御回路部２’は、ワイヤレス信号送信部４’から上記第１の制御信号に基づいたワイヤレス信号を送信し、且つ上記所定時間であるタイマ時間（図８の例では、５秒）を計時する検知タイマ（図示せず）の計時を開始させる。なお、上記検知タイマは、例えばセンサ装置Ｗ’の制御回路部２’に設けられている。上記第１の制御信号に基づいたワイヤレス信号を受信したスイッチ装置Ｓ’の制御回路部１４’は、負荷制御部８’のスイッチング素子をオンさせることで照明負荷Ｌ’を点灯させ、且つ上記動作保持時間の計時を開始する。
【００１０】
制御回路部２’は、上記検知タイマの上記タイマ時間の計時が終了したら、センサ部１の人感センサおよび照度センサそれぞれの検知結果を取得する。センサ部１の照度センサで検知される照度が上記基準照度以上であり（周囲が明るく）且つ人感センサで人体が検知されると（図８（ａ）において、ｔ１の時点）、制御回路部２’は、ワイヤレス信号送信部４’から上記第２の制御信号に基づいたワイヤレス信号を送信し、且つ上記検知タイマの上記タイマ時間の計時を開始させる。上記第２の制御信号に基づいたワイヤレス信号を受信したスイッチ装置Ｓ’の制御回路部１４’は、負荷制御部８’のスイッチング素子をスイッチング制御せずに照明負荷Ｌ’を点灯したままとし、且つ上記動作保持時間の計時をリトリガする。以降、制御回路部２’は上記検知タイマの上記タイマ時間の計時が終了する度に、センサ部１の人感センサおよび照度センサそれぞれの検知結果を取得し、上述の動作を繰り返す。なお、図８の右下がりの線は計時時間を模式的に表し、右下がりの線における高さの高低が残り時間の長短を表している。
【００１１】
ここで、上記検知タイマが上記タイマ時間を計時している途中（例えば、上記検知タイマにより計時された時間が３秒の時点）で、センサ装置Ｗ’の上記押釦スイッチで照明負荷Ｌ’を強制的に消灯させた場合（図８（ｂ）において、ｔ３の時点）、センサ部１の照度センサで検知される照度が上記基準照度未満となったとする（周囲が暗くなったとする）。ここにおいて、センサ部１の人感センサで人体が検知されても、上記検知タイマは上記タイマ時間を計時しているので、スイッチ装置Ｓ’が照明負荷Ｌ’を点灯させるまでに時間がかかってしまう（図８（ｂ）において、Ｔ５の期間）。
【００１２】
本発明は上記の事由に鑑みて為されたものであり、その目的は、電池の寿命を延ばしながらも、周囲の照度が予め設定された基準照度以上の照度から上記基準照度未満の照度に変化すると直ちにワイヤレス信号を送信するセンサ装置を用いた負荷制御システムを提供することにある。
【課題を解決するための手段】
【００１３】
本願の別の発明は、検知エリア内における人の在否を検知する人感センサと、周囲の照度を検知する照度センサと、人感センサおよび照度センサそれぞれの検知情報を含むワイヤレス信号を送信するワイヤレス信号送信部と、ワイヤレス信号送信部から当該ワイヤレス信号を所定時間毎に送信させる制御回路部と、人感センサ、照度センサ、ワイヤレス信号送信部および制御回路部に電力を供給する電池とを備え、制御回路部は照度センサの検知情報である照度が予め設定された基準照度以上の照度から当該基準照度未満の照度に変わった時には、上記所定時間に関係なく、直ちにワイヤレス信号送信部から当該ワイヤレス信号を送信することを特徴とするセンサ装置である。
【００１４】
この発明によれば、上記所定時間毎にワイヤレス信号送信部から上記ワイヤレス信号を送信し、照度センサの検知情報である照度が上記基準照度以上の照度から上記基準照度未満の照度に変わった時には、上記所定時間に関係なく、直ちにワイヤレス信号送信部から上記ワイヤレス信号を送信することによって、電池の寿命を延ばしながらも、周囲の照度が上記基準照度以上の照度から上記基準照度未満の照度に変化すると、直ちに上記ワイヤレス信号を送信することができる。
【００１５】
請求項１の発明は、検知エリア内における人の在否を検知する人感センサと、周囲の照度を検知する照度センサと、前記人感センサおよび前記照度センサそれぞれの検知情報を含むワイヤレス信号を送信するワイヤレス信号送信部と、前記ワイヤレス信号送信部から当該ワイヤレス信号を所定時間毎に送信させる第１の制御回路部と、前記人感センサ、前記照度センサ、前記ワイヤレス信号送信部および前記第１の制御回路部に電力を供給する電池とを備え、前記第１の制御回路部は、前記所定時間毎に送信される前記ワイヤレス信号が、前記照度センサの検知情報である照度が前記基準照度未満であり且つ前記人感センサの検知情報が人体有りの時の第１の制御信号に基づいた第１ワイヤレス信号と、前記照度センサの検知情報である照度が前記基準照度以上であり且つ前記人感センサの検知情報が人体有りの時の第２の制御信号に基づいた第２ワイヤレス信号とを含んでおり、所定時間毎に送信される前記第１ワイヤレス信号または前記第２ワイヤレス信号の直後に、前記照度センサの前記検知情報である照度が予め設定された基準照度以上の照度から当該基準照度未満の照度に変わった時の第３の制御信号に基づいた第３のワイヤレス信号を、前記所定時間に関係なく、直ちに前記ワイヤレス信号送信部から送信するセンサ装置と、前記センサ装置からの前記ワイヤレス信号に基づいて照明負荷を点灯または消灯させるスイッチ装置と、を備え、前記スイッチ装置は、前記センサ装置から送信される前記ワイヤレス信号を受信するワイヤレス信号受信部と、前記ワイヤレス信号受信部で受信された前記ワイヤレス信号に応じた受信信号を増幅する増幅回路部と、交流電源から前記照明負荷への給電路を開閉するスイッチング素子を有する負荷制御部と、前記増幅回路部で増幅された前記受信信号に基づいて前記スイッチング素子をスイッチング制御する第２の制御回路部と、前記ワイヤレス信号受信部、前記増幅回路部、前記負荷制御部および前記第２の制御回路部に電力を供給する電源回路部と、前記照明負荷を強制的に点灯または消灯させるための押釦スイッチを有するスイッチ入力部とを有し、前記スイッチ装置は、前記ワイヤレス信号に含まれる前記人感センサの前記検知情報が人体有りで且つ前記照度センサの前記検知情報である照度が前記基準照度未満の照度である場合に、前記照明負荷を点灯させることを特徴とする。
【００１６】
この発明によれば、上記所定時間毎にワイヤレス信号送信部から上記ワイヤレス信号を送信し、照度センサの検知情報である照度が上記基準照度以上の照度から上記基準照度未満の照度に変わった時には、上記所定時間に関係なく、直ちにワイヤレス信号送信部から上記ワイヤレス信号を送信することによって、電池の寿命を延ばしながらも、周囲の照度が上記基準照度以上の照度から上記基準照度未満の照度に変化すると、直ちに上記ワイヤレス信号を送信することができる。また、この発明によれば、スイッチ装置は前記ワイヤレス信号に含まれる前記人感センサの検知情報が人体有りで且つ前記照度センサの検知情報である照度が前記基準照度未満の照度である場合に、照明負荷を素早く点灯させることができる。
【発明の効果】
【００１７】
請求項１の発明では、上記所定時間毎に上記ワイヤレス信号を送信し、上記照度センサの検知情報である照度が上記基準照度以上の照度から上記基準照度未満の照度に変わった時には、上記所定時間に関係なく、直ちに上記ワイヤレス信号を送信することで、電池の寿命を延ばしながらも、周囲の照度が上記基準照度以上の照度から上記基準照度未満の照度に変化すると、直ちに上記ワイヤレス信号を送信することができるという効果がある。
【００１８】
また、請求項１の発明では、スイッチ装置は前記人感センサの検知情報が人体有りで且つ前記照度センサの検知情報である照度が前記基準照度未満の照度である場合に、照明負荷を素早く点灯させることができるという効果がある。
【図面の簡単な説明】
【００１９】
【図１】実施形態のセンサ装置を示すブロック図である。
【図２】同上の負荷制御システムのシステム構成図である。
【図３】同上のスイッチ装置を示すブロック図である。
【図４】同上の負荷制御システムの動作説明図である。
【図５】従来例を示す負荷制御システムのシステム構成図である。
【図６】同上のセンサ装置を示すブロック図である。
【図７】同上のスイッチ装置を示すブロック図である。
【図８】同上の負荷制御システムの動作説明図である。
【発明を実施するための形態】
【００２０】
本実施形態のセンサ装置Ｗは、図１に示すように、検知エリア内における人の在否を検知する人感センサ９と、周囲の照度を検知する照度センサ１０と、人感センサ９および照度センサ１０それぞれの検知結果を検知情報として取得し、人感センサ９および照度センサ１０それぞれの検知情報を含む制御信号を作成するマイクロコンピュータからなる制御回路部２と、制御回路部２から送出される上記制御信号を増幅する増幅回路部３と、増幅回路部３で増幅された上記制御信号に基づいて、人感センサ９および照度センサ１０それぞれの検知情報を含むワイヤレス信号を電波を媒体として送信するワイヤレス信号送信部４と、人感センサ９、照度センサ１０、制御回路部２、増幅回路部３およびワイヤレス信号送信部４に電力を供給する電池５とを備え、制御回路部２は所定時間毎（例えば、５秒毎）にワイヤレス信号送信部４から上記ワイヤレス信号を送信する。また、制御回路部２には、上記所定時間であるタイマ時間を計時する検知タイマ（図示せず）が設けられている。ここにおいて、制御回路部２は、人感センサ９で人体が検知された時に、照明負荷Ｌを点灯させるための上記制御信号を作成し、照度センサ１０で検知される照度が予め設定される基準照度未満であるもの（以下、第１の制御信号と称する）と、照度センサ１０で検知される照度が上記基準照度以上であるもの（以下、第２の制御信号と称する）との２種類がある。なお、人感センサ９は焦電素子を用いたものであり、照度センサ１０は光電変換素子（例えば、フォトダイオードなど）を用いたものである。また、ワイヤレス信号送信部４は媒体として電波を用いているが、例えば赤外線などであってもよく、制御回路部２はマイクロコンピュータを用いているが、例えばディスクリート部品で回路を構成してもよい。
【００２１】
ここで、制御回路部２は、照度センサ１０の検知情報である照度が予め設定された基準照度以上の照度から上記基準照度未満の照度に変わった時に、上記所定時間に関係なく、直ちにワイヤレス信号送信部４から上記ワイヤレス信号を送信する。
【００２２】
したがって、制御回路部２は、上記所定時間毎にワイヤレス信号送信部４から上記ワイヤレス信号を送信し、照度センサ１０の検知情報である照度が上記基準照度以上の照度から上記基準照度未満の照度に変わった時には、上記所定時間に関係なく、直ちにワイヤレス信号送信部４から上記ワイヤレス信号を送信することによって、電池５の寿命を延ばしながらも、周囲の照度が上記基準照度以上の照度から上記基準照度未満の照度に変化すると、直ちに上記ワイヤレス信号を送信することができる。
【００２３】
以上説明した本実施形態のセンサ装置Ｗは、上記所定時間毎にワイヤレス信号送信部４から上記ワイヤレス信号を送信し、照度センサ１０の検知情報である照度が上記基準照度以上の照度から上記基準照度未満の照度に変わった時には、上記所定時間に関係なく、直ちにワイヤレス信号送信部４から上記ワイヤレス信号を送信することによって、電池５の寿命を延ばしながらも、周囲の照度が上記基準照度以上の照度から上記基準照度未満の照度に変化すると、直ちに上記ワイヤレス信号を送信することができる。
【００２４】
本実施形態の負荷制御システムは、図２に示すように、電波を媒体として上記ワイヤレス信号を送信する上述のセンサ装置Ｗと、商用電源からなる交流電源ＡＣと照明負荷Ｌに電線を介して直列接続され、センサ装置Ｗから送信される上記ワイヤレス信号に基づいて照明負荷Ｌを点灯または消灯させるスイッチ装置Ｓとで構成されている。なお、センサ装置Ｗは建物内の天井などに設置され、スイッチ装置Ｓは壁面などに埋め込み配置される。
【００２５】
スイッチ装置Ｓは、図３に示すように、センサ装置Ｗから送信される上記ワイヤレス信号を受信するワイヤレス信号受信部７と、ワイヤレス信号受信部７で受信された上記ワイヤレス信号に応じた受信信号を増幅する増幅回路部１１と、交流電源ＡＣから照明負荷Ｌへの給電路を開閉するスイッチング素子（例えば、トライアックなど）を有する負荷制御部８と、増幅回路部１１で増幅された上記受信信号に基づいて負荷制御部８のスイッチング素子をスイッチング制御するマイクロコンピュータからなる制御回路部１４と、ワイヤレス信号受信部７、増幅回路部１１、負荷制御部８および制御回路部１４に電力を供給する電源回路部１２と、照明負荷Ｌを強制的に点灯または消灯させるための押釦スイッチ（図示せず）を有するスイッチ入力部１３とを備え、負荷制御部８は交流電源ＡＣと照明負荷Ｌに電線を介して直列接続されている。また、制御回路部１４には、人感センサ９によって人体が検知されなくなってから照明負荷Ｌを消灯させるまでの動作保持時間を計時する保持タイマ（図示せず）が設けられている。なお、上記動作保持時間は、制御回路部１４に予め設定されている。また、制御回路部１４はマイクロコンピュータを用いているが、例えばディスクリート部品で回路を構成してもよい。
【００２６】
ここで、制御回路部１４は、増幅回路部１１で増幅された上記受信信号に含まれる人感センサ９の検知情報が人体有りで且つ照度センサ１０の検知情報である照度が上記基準照度未満の照度である（周囲が暗い）時、負荷制御部８のスイッチング素子をオンさせることで照明負荷Ｌを点灯させる。
【００２７】
以下、本実施形態の負荷制御システムの動作を、図４を参照しながら説明する。
【００２８】
例えば、照明負荷Ｌが消灯している場合、照度センサ１０の検知情報である照度が上記基準照度未満であり（周囲が暗く）且つ人感センサ９の検知情報が人体有りの時（図４（ａ）において、ｔ０の時点）、センサ装置Ｗの制御回路部２は、ワイヤレス信号送信部４から上記第１の制御信号に基づいたワイヤレス信号を送信し、且つ上記検知タイマの上記タイマ時間（図４の例では、５秒）の計時を開始させる。上記ワイヤレス信号を受信したスイッチ装置Ｓの制御回路部１４は、負荷制御部８のスイッチング素子をオンさせることで照明負荷Ｌを点灯させ、且つ上記保持タイマの上記動作保持時間の計時を開始させる。
【００２９】
上記検知タイマの上記タイマ時間の計時が終了したら、制御回路部２は人感センサ９および照度センサ１０それぞれの検知情報を取得する。照度センサ１０の検知情報である照度が上記基準照度以上であり（周囲が明るく）且つ人感センサ９の検知情報が人体有りの時（図４（ａ）において、ｔ１の時点）、制御回路部２は、ワイヤレス信号送信部４から上記第２の制御信号に基づいたワイヤレス信号を送信し、且つ上記検知タイマの上記タイマ時間の計時を開始させる。上記ワイヤレス信号を受信したスイッチ装置Ｓの制御回路部１４は、負荷制御部８のスイッチング素子をオンさせ続けることで照明負荷Ｌを点灯したままとし、且つ上記保持タイマの上記動作保持時間の計時をリトリガさせる。以降、制御回路部２は、上記検知タイマの上記タイマ時間の計時が終了する度に、人感センサ９および照度センサ１０それぞれの検知情報を取得し、上述の動作を繰り返す。なお、図４の右下がりの線は計時時間を模式的に表し、右下がりの線における高さの高低が残り時間の長短を表している。
【００３０】
ここで、上記検知タイマが上記タイマ時間を計時している途中（例えば、上記検知タイマにより計時された時間が３秒の時点）で、例えばスイッチ装置Ｓの上記押釦スイッチで照明負荷Ｌを強制的に消灯させた場合（図４（ｂ）において、ｔ３の時点）、照度センサ１０の検知情報である照度が上記基準照度以上の照度から上記基準照度未満の照度に変化するので、制御回路部２は上記所定時間に関係なく、直ちにワイヤレス信号送信部４から上記第１の制御信号に基づいたワイヤレス信号を送信する。上記ワイヤレス信号を受信したスイッチ装置Ｓの制御回路部１４は、負荷制御部８のスイッチング素子をオンさせることで照明負荷Ｌを点灯させ、且つ上記保持タイマの上記動作保持時間の計時を開始させ、上記動作保持時間の計時が終了したら、負荷制御部８のスイッチング素子をオフさせることで照明負荷Ｌを消灯させる。
【００３１】
以上説明した本実施形態の負荷制御システムは、スイッチ装置Ｓは上記ワイヤレス信号に含まれる人感センサ９の検知情報が人体有りで且つ照度センサ１０の検知情報である照度が上記基準照度未満の照度である場合に、照明負荷Ｌを素早く点灯させることができる。
【符号の説明】
【００３２】
２  制御回路部
４  ワイヤレス信号送信部
５  電池
９  人感センサ
１０  照度センサ
Ｌ  照明負荷
Ｓ  スイッチ装置
Ｗ  センサ装置
【図１】
0005513906.tif 000002
【図２】
0005513906.tif 000003
【図３】
0005513906.tif 000004
【図４】
0005513906.tif 000005
【図５】
0005513906.tif 000006
【図６】
0005513906.tif 000007
【図７】
0005513906.tif 000008
【図８】
0005513906.tif 000009